(57)【要約】      （修正有）【課題】トランスを使わずに直流高圧電流を発生する活性水素発生器を提供する。【解決手段】ソケット１の３から入った電流は、４のダイオード（３０Ｅ１）を通り１２のコンデンサーの片端、電球のソケット６を通り、７の電球を点灯した後電球のソケット６を通り、コンデンサーの片端１３を通り、１のソケットの端２に至って電源に入る。電球のソケット６と電線との接点１０、１１に２つの電線８，９を接続し、９をプラス極とし８をマイナス極として両電極間の直流電圧は８０Ｖ〜１７０Ｖとなり、プラス極より直流高圧電流を放電して、活性水素を発生する。【選択図】図１
0003189502.tif 000002
【実用新案登録請求の範囲】
【請求項１】
ＥＣＯ電球又はＬＥＤ電球の何れかの電球を挿入したソケットに、ダイオードを直列に、コンデンサーを並列に装着した２本の電線を、上記のソケットの２ヶ処に夫々接着し、２本の電線の他の端の電源ソケットを通して交流電流を流すと、電球のソケットの２ヶ処の接点の内の１つがプラス電極にいたる線の接点となり、他の１つがマイナス電極に至る線の接点となり、この両極間の直流電圧が８０Ｖ〜１７０Ｖになった場合、使用したのと同じ種類の電球を活性水素発生器の部品として使用する電源ソケット、ダイオード、コンデンサー、電球のソケット、プラス電極、マイナス電極、上記の試験に合格した電球で、電気回路を形成していて、直流高圧電流を発生させ、プラス極から放電し、活性水素が発生される活性水素発生器。
【考案の詳細な説明】
【技術分野】
【０００１】  この考案は健康を増進する器具に関する。
【背景技術】
【０００２】
【特許文献１】  登録実用新案第３０８３９３８号
【特許文献２】  特開２００２−４２５４５号
【特許文献３】  特願２００２−２８８５５０号
【特許文献４】  登録実用新案第３１６８９１１号
【特許文献５】  登録実用新案第３１７０３５１号
【特許文献６】  登録実用新案第３１７３２６３号
【考案の開示】
【考案が解決しようとする課題】
【０００３】  マイナスイオンは活性酸素とも言い猛毒で、体の中から何時も発生し、甲状腺ガン等のガンもガンが健康な細胞に、直接ガンを引き起こすのでなく、一旦ガンの因子が健康な細胞に活性酸素を発生させ、細胞を弱らせた後に、之をガン化させると言われている。この活性酸素を活性水素で中和し、無害の水として、活性酸素を除去する為に、登録実用新案第３１６８９１１号、同第３１７０３５１号、同第３１７３２６３号があるが、何れにも高圧発生装置に、トランスを使用しているがトランスを使わずに直流高圧電流を発生出来る方法が待たれる。【０００４】  本考案は、トランスを使わずに直流高圧電流を発生出来るかの策定の開発である。
【課題を解決する為の手段】
【０００５】  交流時消費電力６．５ＷのＬＥＤ電球、消費電力５ＷのＥＣＯ電球にダイオード、コンデンサーを使用して電流を通したら８０Ｖ〜１７０Ｖの直流電圧になった。
【考案の効果】
【０００６】  活性水素発生器の気流の中にある時、活性酸素発生器と交替した時、数秒で息苦しくなり、活性水素の良さがわかる。
【０００７】  鼻の通りが良くなる。
【０００８】  腎臓の新陳代謝が大きくなり、体がおだやかになる事がすぐに分かり、クレアニチンの基準値内の数値が容易に最良値になり、１５％低いクレアニチンが正常になり、醗酵アガリクス茸を食べると、この活性は高まる。
【０００９】  通じか良くなり、１日に数回も下痢する事なく通じがあるようになり、その時には吸引を控えればよい。
【００１０】  重度の不眠が改善される。
【００１１】  頭頂部の無毛部にはショウガとオリーブオイルの混合物をすり込むと１週間で、毛が生えるのがわかり、１ヶ月で房々する。
【００１２】  活性水素の気流中で大きな呼吸をしたとき片方の肺に異常を感じた場合、簡単に治る。
【００１３】  瑞息によい。
【００１４】  顔のイボにあった黒子の色が消えた。
【００１５】  手相の生命線に副生命線のある人が数ヵ月で、之が伸びた。
【００１６】  マイナスイオンは活性酸素とも言い猛毒で、体の中から何時も発生し、甲状腺ガン等のガンもガンが健康な細胞に、直接ガンを引き起こすのでなく、一旦ガンの因子が健康な細胞に活性酸素を発生させ、細胞を弱らせた後に、之をガン化させると言われている。この活性酸素を活性水素で中和し、無害の水として、活性酸素を除去する。
【００１７】  一晩の吸引で、効果は２４時間は持続する。（置場所１ｍ以内．６畳）自覚できる。
【００１８】  痔はなをる。
【考案を実施する為の形態】
【００１９】  図面を参照しながら説明します。図１、図２は、横から見た図です。ソケット１の３から入った電流は、４のダイオード（３０Ｅ１）を通り１２のコンデンサーの片端、電球のソケット６を通り、７の電球を点灯した後電球のソケット６を通り、コンデンサーの片端１３を通り、１のソケットの端２に至って電源に入る。電球のソケット６と電線との接点１０、１１に２つの電線８，９を接続し、９をプラス極とし８をマイナス極として両電極間の直流電圧は８０Ｖ〜１７０Ｖ、７は図１では、ＬＥＤ電球で、図２では、ＥＣＯ電球で９のプラス極より直流高圧電流を放電して、活性水素を発生する。
【図面の簡単な説明】
【００２０】
【図１】  ＬＥＤ電球を使用した活性水素発生器の回路図です。
【図２】  ＥＣＯ電球を使用した活性水素発生器の回路図です。
【符号の説明】
【００２１】１  電源ソケット
２  ソケットの先
３  ソケットの先
４  ダイオード
５  コンデンサー
６  電球のソケット
７  ＬＥＤ電球（図１）ＥＣＯ電球（図２）
８  マイナス極
９  プラス極
１０  マイナス極接点
１１  プラス極接点
１２  コンデンサーの片端
１３  コンデンサーの片端
１４  本体箱（外せる）
１５  本体箱
１６  電球の覆い（遮光用）
１７  安定円盤
１８  箱固定部
【図１】
0003189502.tif 000003
【図２】
0003189502.tif 000004
【手続補正書】
【提出日】平成25年12月11日(2013.12.11)
【手続補正１】
【補正対象書類名】実用新案登録請求の範囲
【補正対象項目名】全文
【補正方法】変更
【補正の内容】
【実用新案登録請求の範囲】
【請求項１】
ＥＣＯ電球又はＬＥＤ電球の何れかの電球を挿入したソケットの２ヵ所の接点の内の１点にＡ電線とＢ電線、残りの１点にＣ電線とＤ電線を接続し、Ａ電線にダイオードのマイナス極をソケットに向けて直列に接続し、コンデンサーをＣ電線とダイオードのソケットと反対側に接続し、Ａ電線、Ｃ電線の端は交流電源ソケットに至り、Ｄ電線の端はプラス電極となり、Ｂ電線の端はマイナス電極となり交流電源ソケットから入った交流は、ダイオードとコンデンサーで直流となり、ＥＣＯ電球又はＬＥＤ電球に感応してプラス電極とマイナス電極の間で直流電流を発生し、両電極間で直流８０Ｖ〜１７０Ｖに成った時に、使用したＥＣＯ電球又はＬＥＤ電球、ダイオード、コンデンサー、電球のソケット、電源ソケット、プラス電極、マイナス電極で形成された電気回路で、前記プラス電極とマイナス電極間に直流電流を発生させ、プラス電極からマイナス電極に放電し、活性水素が発生される活性水素発生器。
【手続補正２】
【補正対象書類名】明細書
【補正対象項目名】００１９
【補正方法】変更
【補正の内容】
【００１９】        図面を参照しながら説明します。図１、図２は横から見た図です。ソケット１の２から入った電流は、１２のコンデンサーの片端、４のダイオード（３０Ｅ１）を通り電球のソケット６を通り、７の電球を点灯した後電球のソケット６を通り、コンデンサーの片端１３を通り、１のソケットの端３に至って電源に入る。電球のソケット６と電線との接点１０，１１に２つの電線８、９を接続し、８をプラス極とし９をマイナス極とし両電極間の直流電圧は８０Ｖ〜１７０Ｖ、７は図１ではＬＥＤ電球で、図２ではＥＣＯ電球で、８のプラス極より直流電流を放電して、活性水素を発生する。
【手続補正３】
【補正対象書類名】明細書
【補正対象項目名】００２１
【補正方法】変更
【補正の内容】
【００２１】        １  電源ソケット        ２  ソケットの先        ３  ソケットの先        ４  ダイオード        ５  コンデンサー        ６  電球のソケット        ７  ＬＥＤ電球        ８  プラス極        ９  マイナス極      １０  プラス接点      １１  マイナス接点      １２  コンデンサーの片端      １３  コンデンサーの片端      １４  本体箱（外せる）      １５  本体箱      １６  電球の覆い（遮光用）      １７  安定円盤      １８  箱固定部